(57)【要約】  本発明の目的は、出力性能に優れた非水電解液二次電池を提供することである。本発明の非水電解液二次電池（１）は、正極（２１）が正極活物質層（２２ｂ）を有する細長シート状の正極集電体（２２ａ）と、正極集電体（２２ａ）の長さ方向端部で正極集電体（２２ａ）の幅方向に突出する正極集電タブ（２３）とを有する複数の正極シート（２２）を有し、負極（３１）は、負極活物質層（３２ｂ）を有する細長シート状の負極集電体（３２ａ）と、負極集電体（３２ａ）の長さ方向端部で負極集電体（３２ａ）の幅方向に突出する負極集電タブ（３３）とを有する複数の負極シート（３２）を有する。そして、電極群（１１）は、複数の正極シート（２２）及び複数の負極シート（３２）をそれぞれ長さ方向に並べて捲回した構成を有している。
2014188501.tif 000002
【特許請求の範囲】
【請求項１】
正極及び負極を間にセパレータを介して捲回した電極群を有する非水電解液二次電池であって、
前記正極は、正極活物質層を有する細長シート状の正極集電体と、該正極集電体の長さ方向端部で前記正極集電体の幅方向に突出する正極集電タブとを有する複数の正極シートを有し、
前記負極は、負極活物質層を有する細長シート状の負極集電体と、該負極集電体の長さ方向端部で前記負極集電体の幅方向に突出する負極集電タブとを有する複数の負極シートを有し、
前記電極群は、前記複数の正極シート及び前記複数の負極シートをそれぞれ長さ方向に並べて捲回した構成を有することを特徴とする非水電解液二次電池。
【請求項２】
前記電極群は、平坦部と、該平坦部の互いに対向する端部で半円弧状に湾曲する一対の湾曲部とを有する扁平形状を有しており、前記正極集電タブ及び前記負極集電タブが前記平坦部に配置されていることを特徴とする請求項１に記載の非水電解液二次電池。
【請求項３】
前記電極群は、
内側から外側に向かって前記セパレータ、前記負極シート、前記セパレータ、前記正極シートの順番で重ね合わせた状態で捲回されて、前記正極シートの最外周が前記セパレータを間に介して前記負極シートで覆われ、該負極シートの最外周が前記セパレータで覆われた構成を有する複数のグループを、長さ方向に接続して多重に捲回した構成を有することを特徴とする請求項２に記載の非水電解液二次電池。
【請求項４】
前記電極群は、
内側から外側に向かって前記セパレータ、前記負極シート、前記セパレータ、前記正極シートの順番で重ね合わせた状態で捲回されて、前記正極シートの最外周が前記セパレータを間に介して前記負極シートで覆われ、該負極シートの最外周が前記セパレータで覆われた構成を有する第１グループと、
内側から外側に向かって前記正極シート、前記セパレータ、前記負極シート、前記セパレータの順番で重ね合わせた状態で前記第１グループよりも外側に捲回されて、前記正極シートの最外周が前記セパレータを間に介して前記負極シートで覆われ、該負極シートの最外周が前記セパレータで覆われた構成を有する少なくとも１以上の第２グループとを有し、
前記第１グループと、前記少なくとも１以上の第２グループとを長さ方向に接続して多重に捲回した構成を有することを特徴とする請求項２に記載の非水電解液二次電池。
【請求項５】
前記電極群は、
互いに対向する二枚のセパレータを有しており、前記複数の正極シートがそれぞれ長さ方向に所定間隔をおいて並べられて互いに対向する一方のセパレータの外周面と他方のセパレータの内周面との間に介在され、前記複数の負極シートがそれぞれ長さ方向に所定間隔をおいて並べられて互いに対向する他方のセパレータの外周面と一方のセパレータの内周面との間に介在されていることを特徴とする請求項２に記載の非水電解液二次電池。
【請求項６】
前記電極群は、前記各正極集電タブと前記各負極集電タブとがそれぞれ前記電極群の捲回軸方向一方側で互いに離間する位置に配置されていることを特徴とする請求項３に記載の非水電解液二次電池。
【請求項７】
前記電極群は、前記各正極集電タブと前記各負極集電タブとがそれぞれ前記平坦部の厚さ方向一方側と他方側に離間して配置されていることを特徴とする請求項６に記載の非水電解液二次電池。
【請求項８】
前記電極群は、前記各正極集電タブと前記各負極集電タブとがそれぞれ一方の湾曲部側と他方の湾曲部側に離間して配置されていることを特徴とする請求項７に記載の非水電解液二次電池。
【請求項９】
前記電極群は、前記各正極集電タブと前記各負極集電タブとがそれぞれ前記平坦部の厚さ方向一方側で一方の湾曲部側と他方の湾曲部側に離間して配置されていることを特徴とする請求項６に記載の非水電解液二次電池。
【請求項１０】
前記電極群は、前記各正極集電タブが前記電極群の捲回軸方向一方側に配置され、前記各負極集電タブが前記電極群の捲回軸方向他方側に配置されていることを特徴とする請求項３に記載の非水電解液二次電池。
【請求項１１】
前記電極群は、前記各正極集電タブ及び前記各負極集電タブがそれぞれ前記平坦部の厚さ方向一方側で前記一方の湾曲部側に配置されていることを特徴とする請求項１０に記載の非水電解液二次電池。
【請求項１２】
前記電極群は、前記各正極集電タブが前記平坦部の厚さ方向一方側で一方の湾曲部側に配置され、前記各負極集電タブが前記平坦部の厚さ方向他方側で一方の湾曲部側に配置されていることを特徴とする請求項１０に記載の非水電解液二次電池。
【請求項１３】
前記正極集電タブは、前記正極シートの長さ方向端部で露出する前記正極集電体に接合されて設けられていることを特徴とする請求項１に記載の非水電解液二次電池。
【請求項１４】
前記正極集電タブは、前記正極集電体に一体に設けられていることを特徴とする請求項１に記載の非水電解液二次電池。
【請求項１５】
正極及び負極を間にセパレータを介して捲回した電極群を有する非水電解液二次電池であって、
前記正極と前記負極のいずれか一方は、活物質層を有する細長シート状の電極集電体と、該電極集電体の長さ方向端部で前記電極集電体の幅方向に突出する電極集電タブとを有する複数の第１電極シートを有し、
前記正極と前記負極のいずれか他方は、活物質層を有する細長シート状の電極集電体を有し、該電極集電体の幅方向端部に電極集電体が露出する無地部が設けられた構造を有する１枚の第２電極シートを有し、
前記電極群は、前記複数の第１電極シートを長さ方向に並べて前記１枚の第２電極シートとの間に前記セパレータを介して捲回した構成を有することを特徴とする非水電解液二次電池。
【発明の詳細な説明】
【技術分野】
【０００１】
本発明は、セパレータを介して正極と負極を捲回した電極群を有する非水電解液二次電池に関する。
【背景技術】
【０００２】
携帯電話等に用いられる民生用の非水電解液二次電池は、電極の長さ方向端部に未塗工部を設け、ここに帯状のタブを超音波溶接もしくは抵抗溶接等により接続し、これをさらに電池の外部端子を兼ねる電池の蓋や容器に超音波溶接もしくは抵抗溶接等により接続して電気エネルギーを授受する構成を取っている。【０００３】
例えば特許文献１には、細長シート状の集電体に活物質を付与し、活物質が付与されていない集電体の長さ方向端部において、集電体の幅方向に突出するように集電タブが一体に設けられた構造を有する正極及び負極を捲回して電極体を構成する技術が示されている。
【先行技術文献】
【特許文献】
【０００４】
【特許文献１】特開２００５−２７６４５９号公報
【発明の概要】
【発明が解決しようとする課題】
【０００５】
集電体の長さ方向端部にのみ集電タブを設けて電極の一方の端からのみ集電する電極構造を、民生用のように比較的小さな容量の非水電解液二次電池に適用した場合には大きな問題は生じない。しかしながら、大きな電流値での充放電が必要な用途、例えばプラグインハイブリッド電気自動車等に用いられる高容量高出力の非水電解液二次電池に適用した場合には、電極の捲回長さが長くなり、それに応じて活物質層内を電荷が移動する距離、すなわち、電気を発電する場所から取り出す場所までの集電経路も長くなる。したがって、電池の内部抵抗が高くなり、出力性能の向上を図れないという問題がある。【０００６】
本発明は、上記の点に鑑みてなされたものであり、その目的とするところは、出力性能に優れた非水電解液二次電池を提供することである。
【課題を解決するための手段】
【０００７】
上記課題を解決する本発明の非水電解液二次電池は、正極及び負極を間にセパレータを介して捲回した電極群を有する非水電解液二次電池であって、前記正極は、正極活物質層を有する細長シート状の正極集電体と、該正極集電体の長さ方向端部で前記正極集電体の幅方向に突出する正極集電タブとを有する複数の正極シートを有し、前記負極は、負極活物質層を有する細長シート状の負極集電体と、該負極集電体の長さ方向端部で前記負極集電体の幅方向に突出する負極集電タブとを有する複数の負極シートを有し、前記電極群は、前記複数の正極シート及び前記複数の負極シートをそれぞれ長さ方向に並べて捲回した構成を有することを特徴としている。
【発明の効果】
【０００８】
本発明によれば、電極の捲回長さが長くなるのを防ぎ、集電経路を短くすることができる。したがって、出力性能に優れた非水電解液二次電池を得ることができる。なお、上記した以外の課題、構成及び効果は、以下の実施形態の説明により明らかにされる。
【図面の簡単な説明】
【０００９】
【図１】第１実施形態における非水電解液二次電池の一例を示す二面図。
【図２】第１実施形態における電極群の一例を示す二面図。
【図３】第１実施形態における集電タブと外部接続端子との接続部分の拡大斜視図。
【図４】第１実施形態における電極の一例を示す図。
【図５】第１実施形態における捲回体の作製方法の一例を示す図。
【図６】第１実施形態における捲回体の最初の一重分を終了した状態の一例を示す図。
【図７】第１実施形態における捲回体の多重捲回を終了した状態の一例を示す図。
【図８】第１実施形態における捲回体の構成の一例を示す断面図。
【図９】第１実施形態における捲回体の構成の一例を示す断面図。
【図１０】第１実施形態における捲回体の構成の一例を示す断面図。
【図１１】第１実施形態における電極群の一例を示す二面図。
【図１２】第１実施形態における電極群の一例を示す二面図。
【図１３】第１実施形態における電極の一例を示す図。
【図１４】第１実施形態における電極の一例を示す図。
【図１５】従来の電極の圧延工程前の形状を示す図。
【図１６】従来の電極の圧延工程後の形状を示す図。
【図１７】第２実施形態における非水電解液二次電池の一例を示す二面図。
【図１８】第２実施形態における電極群の一例を示す二面図。
【図１９】第２実施形態における捲回体の作製方法の一例を示す図。
【図２０】第２実施形態における捲回体の最初の一重分を終了した状態の一例を示す図。
【図２１】第２実施形態における捲回体の多重捲回を終了した状態の一例を示す図。
【図２２】第２実施形態における電極群の一例を示す二面図。
【図２３】第２実施形態における電極群の一例を示す二面図。
【図２４】第３実施形態における電極群の一例を示す図。
【発明を実施するための形態】
【００１０】
角形非水電解液二次電池は、その形状が様々な機器の繰り返し充電可能な電源として好適なため、携帯電話や電気自動車等に用いられている。この角形電池の内部構造は主に、平板状電極と隔離部材を交互に積層した積層式と、帯状電極を渦巻状に捲回したあとに扁平に押しつぶす、あるいは平板状の軸芯に捲回した捲回式とに分けられる。この内、後者の捲回式の角形電池では、蓄電要素たる活物質材料から電気エネルギーを取り出すために活物質材料を金属箔に塗布し、その金属箔の一部に未塗布部を設けてその部分を電池の外部へ導出される端子に溶接等により接続する構成を取る。
【００１１】
本発明の非水電解液二次電池は、例えばハイブリッド自動車、プラグインハイブリッド自動車、電気自動車等の駆動源として用いられる高容量高出力の角形非水電解液二次電池であり、複数個を直列に接続して組電池として利用される。本発明が適用される非水電解液二次電池は、本実施形態で説明する角形に限定されるものではなく、捲回式の電極群を有するものであればよく、例えば円筒形の非水電解液二次電池に適用することもできる。
【００１２】
［第１実施形態］
図１は、第１実施形態における非水電解液二次電池の一例を示す二面図である。
【００１３】
非水電解液二次電池１は、扁平角形の電池容器２を有している。電池容器２は、両端部の開口を封口板３、４で閉塞してそれぞれをレーザ溶接等により溶接することで密閉されている。一方の封口板４には、非水電解液二次電池１に電気エネルギーを入出力するための正極端子５および負極端子６が設けられている。また、封口板４には、電池容器２の内部で発生して高圧化したガスを排出するためのガス排出弁７と、電解液を注液した後に封口される注液口８が設けられている。電池容器２内には、電解液と共に電極群１１（図２を参照）が収容されている。
【００１４】
図２は、本実施形態における電極群の一例を示す二面図である。
【００１５】
電極群１１は、電池容器２内に収容可能な扁平形状を有している。電極群１１は、正極２１と負極３１とを間にセパレータ４１、４２を介して捲回した捲回体によって構成されている。電極群１１は、平板状の軸芯１２に捲回されて扁平状に形成されており、平坦部１１Ａと、平坦部１１Ａの互いに対向する位置に配置される端部で半円弧状に湾曲する一対の湾曲部１１Ｂ、１１Ｂとを有する。そして、複数の正極集電タブ２３及び負極集電タブ３３が平坦部１１Ａでかつ電極群１１の捲回軸方向一方側に配置されている。これら複数の正極集電タブ２３及び負極集電タブ３３は、電極群１１の厚さ方向一方側に配置され、さらに一方の湾曲部１１Ｂ寄りと他方の湾曲部１１Ｂ寄りの２つに分かれた位置に配置されている。そして、それぞれ電極群１１の厚さ方向にまとめられて、図１に示す正極端子５及び負極端子６に電気的に接続されている。
【００１６】
図３は、本実施形態における集電タブと接続端子との接続部分の拡大斜視図である。正極端子５は、例えばアルミニウム合金によって構成されており、軸芯１２の端部に設けられた取り付け穴１２ａに基端部が挿入固定されている。そして、複数の正極集電タブ２３が厚さ方向にまとめられた状態で超音波溶接もしくは抵抗溶接によって溶接されている。正極端子５は、先端部の外周にねじ山が螺設されており、先端部を封口板４の開口部（図示せず）に挿入して電池容器２の外側に突出させ、シール材を介してねじキャップ（図示せず）を螺合させることで、封口板４に固定される。負極端子６（図１を参照）は、例えば銅合金によって構成されている。負極端子６は、特に図示していないが、正極端子５と同様に、複数の負極集電タブ３３が厚さ方向にまとめられた状態で超音波溶接もしくは抵抗溶接によって溶接されており、先端部が電池容器２の外側に突出した状態で封口板４に固定されている。
【００１７】
電極群１１は、複数の正極シート２２及び複数の負極シート３２をそれぞれ長さ方向に並べて捲回することによって構成されている。図４は、本実施形態における正極シートの一例を示す図であり、１枚の正極シートの構成を模式的に示している。なお、正極シート２２と負極シート３２は、同様の形状を有しているので、図４では、正極シート２２の符号の横に負極シート３２の符号をかっこ書きで付することで図示は省略する。
【００１８】
正極２１は、複数の正極シート２２を有している。正極シート２２は、正極活物質層２２ｂを有する細長シート状の正極集電体２２ａと、正極集電体２２ａの長さ方向端部で正極集電体２２ａの幅方向に突出する正極集電タブ２３とを有している。正極シート２２は、長さ方向端部に未塗工部を有している。未塗工部は、正極活物質層２２ｂが設けられておらず、正極集電体２２ａが露出している。正極シート２２は、正極集電体２２ａの両面にスラリ状の正極活物質を塗工する工程と、塗工後に乾燥させる工程と、乾燥後にプレスする圧延工程を経て形成される。
【００１９】
例えば、正極集電体２２ａには２０μm以下のアルミニウム箔を用いる。そして、正極活物質には層状構造のLiMO2やスピネル構造のLiM2O4（Mは任意の遷移金属元素）で表されるリチウム複合酸化物や、LiMPO4（Mは任意の遷移金属元素）で表されるカンラン石構造のポリアニオン等の粉末に導電性を向上させるための黒鉛やアセチレンブラックなどの炭素材料を用いる。そして、結着剤としてポリフッ化ビニリデン等の高分子樹脂をノルマルメチルピロリドン等の溶媒に溶解したものを正極活物質に均一に混合してスラリ状の正極合剤を製造し、正極集電体２２ａの両面にそれぞれ所定の厚みで塗工する。そして、乾燥したあとにプレス加工等により圧延して所定の厚みにする。
【００２０】
正極集電タブ２３は、正極集電体２２ａと正極端子５との間を電気的に接続するためのものであり、正極集電体２２ａとは別体に設けられて、正極集電体２２ａの未塗工部に超音波溶接もしくは抵抗溶接等により接合されている。正極集電タブ２３は、例えばアルミニウム合金など、正極集電体２２ａに超音波溶接や抵抗溶接で接合可能な材料からなり、正極集電体２２ａとは別部材によって構成されている。
【００２１】
負極３１は、複数の負極シート３２を有している。負極シート３２は、負極活物質層３２ｂを有する細長シート状の負極集電体３２ａと、負極集電体３２ａの長さ方向端部で負極集電体３２ａの幅方向に突出する負極集電タブ３３とを有している。負極シート３２は、長さ方向端部に未塗工部を有している。未塗工部は、負極活物質層３２ｂが設けられておらず、負極集電体３２ａが露出している。負極シート３２は、負極集電体３２ａの両面にスラリ状の負極活物質を塗工する工程と、塗工後に乾燥させる工程と、乾燥後にプレスする圧延工程を経て形成される。
【００２２】
例えば、負極集電体３２ａには１０μm程度の銅箔を用いる。そして、負極活物質には黒鉛やアモルファスカーボン等の炭素材料や、リチウムチタネートやSi酸化物の粉末を用いる。そして、結着剤のポリフッ化ビニリデン等の高分子樹脂をノルマルメチルピロリドン等の溶媒に溶解したもの、もしくはスチレンブタジエンゴムおよびカルボキシメチルセルロースを水に分散させたものを負極活物質に均一に混合してスラリ状の負極合剤を製造し、負極集電体３２ａの両面にそれぞれ所定の厚みで塗工する。そして、乾燥したあとにプレス加工等により圧延して所定の厚みにすることにより形成される。
【００２３】
負極集電タブ３３は、負極集電体３２ａと負極端子６との間を電気的に接続するためのものであり、負極集電体３２ａの未塗工部に超音波溶接もしくは抵抗溶接等により接合されている。負極集電タブ３３は、例えばニッケル合金など、負極集電体３２ａに超音波溶接や抵抗溶接で接合可能な材料からなり、負極集電体３２ａとは別部材によって構成されている。
【００２４】
図５は、本実施形態における捲回体の作製方法の一例を示す図、図６は、本実施形態における捲回体の最初の一重分を終了した状態の一例を示す図、図７は、本実施形態における捲回体の多重捲回を終了した状態の一例を示す図である。
【００２５】
まず、軸芯１２に２枚のセパレータ４１、４２の各巻き始め端部を固定する。各巻き始め端部は、互いに重ねた状態で軸芯１２に熱溶着され、もしくは粘着テープ等を用いて固定される。そして、図５に示すように、１枚の負極シート３２の巻き始め端部を一方のセパレータ４１の外周面と他方のセパレータ４２の内周面との間に挿入し、他方のセパレータ４２の外周面上に１枚の正極シート２２の巻き始め端部を配置する。
【００２６】
負極シート３２は、負極集電体３２ａが露出して負極集電タブ３３が設けられている方の端部を巻き始め端部とし、正極シート２２は、正極集電体２２ａが露出して正極集電タブ２３が設けられている方の端部を巻き始め端部としている。
【００２７】
正極シート２２と負極シート３２は、電極群１１として完成した際に正極集電タブ２３と負極集電タブ３３が電極群１１の平坦部１１Ａからそれぞれ捲回軸方向一方側に突出して配置されるように、軸芯１２に対して各巻き始め端部が配置される。
【００２８】
そして、軸芯１２を回転させて一方のセパレータ４１と、正極シート２２と、他方のセパレータ４２と、負極シート３２とを互いに重なり合った状態で捲き終わり端部まで捲回し、図６に示すように、最初の一重分が捲回された捲回体１１ａを形成する。
【００２９】
そして、捲回体１１ａの外側に、新たなセパレータ４１、４２、正極シート２２、負極シート３２を捲回し、これを複数回繰り返して多重捲回を行い、図７に示すように、多重捲回された捲回体からなる電極群１１を形成する。そして、電極群１１の最外周に配置されているセパレータ４１の巻き終わり端部を粘着テープ等で固定して、捲回が解けないようにする。これにより、複数の正極シート２２及び複数の負極シート３２がそれぞれ長さ方向に並べられて捲回され、複数の正極集電タブ２３及び複数の負極集電タブ３３が平坦部１１Ａからそれぞれ捲回軸方向一方側に突出した電極群１１を得ることができる。
【００３０】
図８から図１０は、本実施形態における捲回体の構成の一例を示す断面図である。
【００３１】
多重に捲回する方法の一つとして、例えば図８に示すように、上述の正極シート２２と負極シート３２とセパレータ４１、４２を一つのグループとして、グループ毎に完結するように捲回する方法がある。
【００３２】
図８に示す捲回体１１ａでは、先に捲回される内側のグループと、次に捲回される外側のグループは、いずれも内側から外側に向かってセパレータ４１、負極シート３２、セパレータ４２、正極シート２２の順番で重ね合わせた状態で捲回されて、正極シート２２の最外周がセパレータ４１を間に介して負極シート３２で覆われ、さらに負極シート３２の最外周がセパレータ４１で覆われた構成を有している。電極群１１は、これら複数のグループを、長さ方向に接続して多重に捲回した捲回体によって構成されている。
【００３３】
先に捲回される内側のグループと次に続いて捲回される外側のグループとの接続は、先に捲回される内側のグループの最外周のセパレータ４１に、次に捲回される外側のグループのセパレータ４１の巻き始め端部が接続されることによって行われる。セパレータは、熱溶着、超音波接合、接着剤、粘着テープなどにより接続できる。
【００３４】
図８に示す捲回体１１ａによれば、セパレータと電極の挿入順を、先に捲回される内側のグループと次に捲回される外側のグループとで変更せずに捲回できる。そのため、一度捲回した捲回体を一度も取り外すことなく連続して捲回することが可能となり、電極群１１を簡易に作成することが可能となる。
【００３５】
また、多重に捲回する他の方法として、図９に示すように、次に捲回される外側のグループを正極シート２２から始める方法がある。図９に示す捲回体１１ａは、軸芯１２に直接捲回される第１グループは、図８に示されるグループと同様の構成を有しているが、その外側に捲回される第２グループは、内側から外側に向かって正極シート２２、セパレータ４１、負極シート３２、セパレータ４２の順番で重ね合わされた構成を有している。捲き終わり端部は、内側のグループと同じく、正極シート２２の捲き終わり端部の外周を負極シート３２が覆い、さらにその最外周の負極シート３２の外側をセパレータ４１が覆う構成を有している。多重に捲回される複数のグループのうち、軸芯１２に直接捲回される第１グループ以外の他の少なくとも１以上の第２グループは、内側に配置される第１又は第２グループに対してその外側に捲回される。電極群１１は、第１グループと、少なくとも１以上の第２グループとを長さ方向に接続して多重に捲回した構成を有する。
【００３６】
図９に示す捲回体１１ａは、先に捲回される内側のグループ（第１又は第２グループ）が有する負極シート３２の最外周に対して、次に捲回される外側のグループ（第２グループ）が有する正極シート２２の最内周を対向させて巻き始めることができる。したがって、先に捲回される内側のグループが有する負極シート３２の最外周と、次に捲回される外側のグループが有する負極シート２２の最内周とが対向するのを防ぎ、先に捲回される内側のグループが有する負極シート３２の最外周を無駄なく利用することができる。したがって、図８に示す実施例と比較して、先に捲回される内側のグループが有する負極シート３２の最外周と、次に捲回される外側のグループが有する負極シート２２の最内周とが対向する長さ分を短くすることができ、その分だけ正極２１と負極３１の捲回数を増加させて電池容量の増大を図ることができる。
【００３７】
また、多重に捲回する他の方法として、図１０に示すように、セパレータ４１、４２を長さ方向に連続させて、これらの間に複数の正極シート２２と負極シート３２を介在させる方法がある。図１０に示す捲回体１１ａは、二枚のセパレータ４１、４２を切らずに連続させて、これら二枚のセパレータ４１、４２の間に、複数の正極シート２２及び複数の負極シート３２をそれぞれ長さ方向に所定間隔をおいて並べて介在させ捲回した構成を有する。複数の正極シート２２は、互いに対向する一方のセパレータ４１の外周面と他方のセパレータ４２の内周面との間に介在され、複数の負極シート３２は、互いに対向する他方のセパレータの外周面と一方のセパレータの内周面との間に介在されている。
【００３８】
図１０に示す捲回体１１ａによれば、内側に捲回された負極シート３２に対して、その外側に正極シート２２を対向させて捲回させることができ、負極シート３２やセパレータ４１、４２の重複捲回を防ぐことができる。したがって、より多くの正極シート２２及び負極シート３２を捲回でき、電池容量の増大を図ることができる。また、複数のセパレータ４１、４２を長さ方向に接続する必要がなく、電極群１１を容易に製造することができる。
【００３９】
図１１、図１２は、本実施形態における電極群の一例を示す二面図である。
【００４０】
上記した実施例では、図２に示すように、正極集電タブ２３及び負極集電タブ３３を平坦部１１Ａの厚さ方向一方側で一方の湾曲部１１Ｂ側と他方の湾曲部１１Ｂ側とに互いに離間する位置に配置する構成を有する場合について説明したが、正極集電タブ２３及び負極集電タブ３３の位置は、図２の位置に限定されるものではなく、種々の変更が可能である。
【００４１】
例えば、図１１に示すように、正極集電タブ２３及び負極集電タブ３３を、平坦部１１Ａの厚さ方向一方側と他方側とに離間した位置に配置すると共に、一方の湾曲部１１Ｂ側と他方の湾曲部１１Ｂ側とに離間した位置に配置する構成としてもよい。正極集電タブ２３及び負極集電タブ３３の位置は、正極シート２２及び負極シート３２を捲回体１１ａに捲回させる際に軸芯１２に対する巻き始め端部の位置を正極毎及び負極毎に一致させることによって揃えることができる。
【００４２】
また、図１２に示すように、正極集電タブ２３及び負極集電タブ３３を、平坦部１１Ａの厚さ方向一方側と他方側とに離間した位置に配置するのみで、一方の湾曲部１１Ｂ側と他方の湾曲部１１Ｂ側とに離間させなくてもよい。かかる構成では、例えば平坦部１１Ａの厚さ方向一方側に散らばって配置された複数の正極集電タブ２３を、図示していない正極集電板にそれぞれ接合し、正極集電板を正極端子５に接続する。そして、平坦部１１Ａの厚さ方向他方側に散らばって配置された複数の負極集電タブ３３を、図示していない負極集電板にそれぞれ接合し、負極集電板を負極端子６に接続する。図１２に示す構成の場合、複数の正極シート２２及び複数の負極シート３２を、軸芯１２もしくは捲回体１１ａの外周面に配置する際に、その位置を軸芯１２の一方面と他方面に分けて配置するだけでよく、正極集電タブ２３及び負極集電タブ３３の位置を一方の湾曲部１１Ｂ側と他方の湾曲部１１Ｂ側とに離間させて正極集電タブ２３同士の位置及び負極集電タブ３３同士の位置を揃える必要がないので、電極群１１の製造が容易である。
【００４３】
上記した実施例では、図４に示すように、正極シート２２及び負極シート３２は、正極集電体２２ａ及び負極集電体３２ａの長さ方向端部の未塗工部に、それぞれ別体の正極集電タブ２３及び負極集電タブ３３を溶接接合して形成された構成を有する場合について説明したが、正極シート２２及び負極シート３２の構成は、図４に示された構成に限定されるものではなく、種々の変更が可能である。
【００４４】
図１３と図１４は、本実施形態における電極の一例を示す図である。なお、正極２１と負極３１は、同様の形状を有しているので、図１３と図１４では、正極の符号の横にかっこ書きで負極の符号を付することで負極の図示を省略し、また、負極の構成についても説明を省略する。
【００４５】
例えば図１３に示すように、正極集電タブ２４を正極集電体２２ａと一体に形成してもよい。正極集電タブ２４は、正極集電体２２ａの未塗工部の一部を切り残すことによって形成される。例えば正極集電タブ２４は、正極集電体２２ａの側端縁から突出する付け根部分および先端部分にＲ加工を施している。このＲ加工により、組立工程での取扱中に付け根部分に切裂が生じたり、正極集電タブ２４を切り残す際に、端材との離れが悪いことに起因した正極集電タブ２４の千切れを防止できる。
【００４６】
また、図１４に示すように、正極集電体２２ａの長さ方向端部まで正極活物質層２２ｂを形成する構成としてもよい。かかる構成によれば、正極集電タブ２４は圧延工程によって圧延されないので塗工部分との間に伸びの差が生じるが、正極集電タブ２４が設けられている正極シート２２の長さ方向端部のみに発生するものであるので、正極シート２２の長さ方向全体に対する影響は軽微であり、捲回への影響はない。
【００４７】
これに対し、例えば図１５に示す従来技術のように、幅方向に一定の幅の無地部（集電体露出部）を設けた電極１０１は、集電箔１０１ａが集電タブを兼ねる構成であるので、この電極をある程度以上の圧延強度で圧延すると、無地部は圧延されず、活物質の塗布されている活物質塗布部分１０１ｂのみが圧延される。したがって、集電箔１０１ａの幅方向において伸びの差が生じて、図１６に示す如く、電極１０１全体に湾曲が発生し、電極として捲回することは困難となる。
【００４８】
一方、本実施の形態の構成例である図４、図９および図１３に示す電極では、正極集電体２２ａの幅方向は全て活物質が塗布された構成となっているので、圧延工程を経ても集電体２２ａの伸びに差が生じることはなく、上記のような湾曲が発生することはない。図１４の構成においてはタブ部分のみにおいて従来の構成の電極と同様の集電体２２ａの伸びの差が生じるが、長さ方向端部のみであるので上記のごとく影響は軽微であり、捲回への影響はない。
【００４９】
例えば、ハイブリッド電気自動車等に用いられる高い出力特性を要求される用途では、図１５に示すように、電極１０１の幅方向の一端に無地部を設け、この部分に集電部品を電気的に接続することによって電極の長さ方向全般にわたって集電経路を確保し、活物質層内の電荷移動距離を短くすることによって電池の内部抵抗を低減する構成が取られている。
【００５０】
しかしながら、この構成では、体積あたりのエネルギー密度を向上させるためにプレス加工により活物質塗布部分１０１ｂを圧延する際に、活物質塗布部分１０１ｂの金属箔は圧延されるが未塗布部分の金属箔は圧延されず、それらの伸びの差によって、図１６に示すように、帯状の電極１０１に湾曲が発生する。
【００５１】
この電極１０１の湾曲は、圧延強度が低い状態ではあまり大きくならないので、その後の捲回工程で問題を生じることはない。しかしながら、圧延強度が高い場合には、湾曲が大きくなり、渦巻状の捲回体を作製できない。このため、従来は、圧延工程を比較的低強度の加工とせざるを得ず、活物質塗布層の密度を十分に向上できないため、エネルギー密度の高い電池とすることが困難であった。
【００５２】
近年、プラグインハイブリッド電気自動車や、電気エネルギーだけで走行する電気自動車が市場に登場し、これらの電源として出力性能だけでなく高いエネルギー密度をも併せ持つ非水電解液二次電池の要求が強まっている。
【００５３】
かかる課題に対しては、例えば未塗布部分を短冊状に切り抜いて細幅のリードとし、これらのリードを外部端子へ電気的に接続することによって蓄電要素たる活物質から電気エネルギーを取出しもしくは投入している。この方法は未塗布部分を等幅の無地部とする場合よりは上記の湾曲を軽減できるが、未塗布部分の幅をゼロとすることはできず、湾曲を完全に回避できるものではなく、さらに捲回体から花弁状に導出されるリードを外部端子へ接続される集電部品に接続することが難しい。
【００５４】
また民生用円筒形非水電解液二次電池の電極のように長さ方向の一方の端部にのみ集電タブを設ける方法では、前述のプラグインハイブリッド電気自動車等の大きな電流値での充放電が必要な用途では電池の内部抵抗が高いことが問題になる。
【００５５】
これに対して、本実施の形態における電極群１１は、正極集電体２２ａの長さ方向端部に正極集電タブ２３を有する複数の正極シート２２と、負極集電体３２ａの長さ方向端部に負極集電タブ３３を有する複数の負極シート３２とを、それぞれ長さ方向に並べて捲回した構成を有している。
【００５６】
正極シート２２は、正極集電体２２ａの長さ方向端部に正極集電タブが設けられ、負極シート３２は、負極集電体３２ａの長さ方向端部に負極集電タブが設けられているので、圧延工程において圧延強度を高くしても、正極シート及び負極シートが湾曲するおそれがなく、容易に捲回することができ、渦巻き状の捲回体を作成することができる。したがって、圧延工程を比較的高強度の加工とすることができ、活物質層の密度を十分に向上させることができ、エネルギー密度の高い電池を得ることができる。
【００５７】
なお、上記した実施例では、正極シート２２及び負極シート３２は、正極集電タブ２３及び負極集電タブ３３が設けられている長さ方向端部を巻き始め端部とする場合について説明したが、捲き終わり端部としてもよい。正極集電タブ２３及び負極集電タブ３３が設けられている長さ方向端部を捲き終わり端部とした場合、例えば、各巻き始め端部は、正極活物質層２２ｂ及び負極活物質層３２ｂを有しており、捲き終わり端部よりも剛性が高くなっている。したがって、図６に示すように、捲回体１１ａを形成する際に、セパレータ４１、４２の間に挿入しやすく、折れ曲がり等を防いで正規の位置に確実に配置でき、容易に製造することが可能となる。
【００５８】
本実施形態における非水電解液二次電池１によれば、電極群１１は、電極群１１を構成する同一極性の電極を、長さ方向端部に集電タブを設けた複数の電極シートにより構成し、多重に捲回する構成を有している。すなわち、正極集電タブ２３及び負極集電タブ３３をそれぞれ有する複数の正極シート２２及び複数の負極シート３２をそれぞれ長さ方向に並べて捲回した構成を有している。
【００５９】
したがって、複数の集電経路を確保でき、正極シート２２及び負極シート３２の捲回長さが長くなるのを防ぎ、それに応じて活物質層内を電荷が移動する距離、すなわち、電気を発電する場所から取り出す場所までの集電経路を短くすることができる。したがって、電池の内部抵抗が高くなるのを防ぎ、出力性能の向上を図ることができる。また、正極シート２２及び負極シート３２は、長さ方向端部に集電タブ２３（２４）、３３（３４）を設けているので、高強度で活物質層を圧延することができる。したがって、高いエネルギー密度をも併せ持つ非水電解液二次電池１を得ることができる。
【００６０】
［第２実施形態］
図１７から図２３は、本実施形態における非水電解液二次電池の一例を示す図である。なお、上記した第１実施形態と同様の構成要素には同一の符号を付することでその詳細な説明を省略する。
【００６１】
本実施形態では、電極群１１は、図１８に示すように、捲回軸方向一方側に正極集電タブ２３が配置され、捲回軸方向他方側に負極集電タブ３３が配置された構成を有している。正極集電タブ２３及び負極集電タブ３３は、捲回軸方向一方側と他方側に分かれるように電極群１１の平坦部１１Ａに設けられている。そして、軸芯１２よりも厚さ方向一方側でかつ一方の湾曲部１１Ｂ寄り位置にそれぞれ配置されている。そして、かかる電極群１１を有する非水電解液二次電池１は、図１７に示すように、一方の封口板３に正極端子５が設けられ、他方の封口板４に負極端子６が設けられており、これら正極端子５及び負極端子６には、正極集電タブ２３及び負極集電タブ３３が電気的に接続されている。
【００６２】
図１９は、本実施形態における捲回体の作製方法の一例を示す図、図２０は、本実施形態における捲回体の最初の一重分を終了した状態の一例を示す図、図２１は、本実施形態における捲回体の多重捲回を終了した状態の一例を示す図である。
【００６３】
まず、軸芯１３に２枚のセパレータ４１、４２の各巻き始め端部を固定し、図１９に示すように、１枚の負極シート３２の巻き始め端部を一方のセパレータ４１の外周面と他方のセパレータ４２の内周面との間に挿入し、他方のセパレータ４２の外周面上に１枚の正極シート２２の巻き始め端部を配置する。
【００６４】
正極シート２２と負極シート３２は、電極群１１として完成した際に正極集電タブ２３と負極集電タブ３３が電極群１１の平坦部１１Ａからそれぞれ捲回軸方向一方側と他方側に分かれて突出するように、軸芯１２に対して各巻き始め端部が配置される。
【００６５】
そして、軸芯１２を回転させて一方のセパレータ４１と、正極シート２２と、他方のセパレータ４２と、負極シート３２とを互いに重なり合った状態で捲回し、図２０に示すように、最初の一重分が捲回された捲回体１１ａを形成する。
【００６６】
そして、捲回体１１ａの外側に、新たなセパレータ４１、４２、正極シート２２、負極シート３２を捲回し、これを複数回繰り返して多重捲回を行い、図２１に示すように、多重捲回された捲回体からなる電極群１１を形成する。多重に捲回する方法としては、上述の図８から図１０に示す方法を用いることができる。
【００６７】
図２２、図２３は、本実施形態における電極群の一例を示す二面図である。
【００６８】
上記した実施例では、図１８に示すように、正極集電タブ２３及び負極集電タブ３３を平坦部１１Ａの厚さ方向一方側でかつ一方の湾曲部１１Ｂ側に寄せて配置する構成を有する場合について説明したが、正極集電タブ２３及び負極集電タブ３３の位置は、図１８の位置に限定されるものではなく、種々の変更が可能である。
【００６９】
例えば、図２２に示すように、正極集電タブ２３及び負極集電タブ３３を、平坦部１１Ａの厚さ方向一方側と他方側とに分けて配置する構成としてもよい。
【００７０】
また、図２３に示すように、正極集電タブ２３及び負極集電タブ３３を、単に平坦部１１Ａに配置するのみでよく、厚さ方向一方側と他方側とに分けたり、一方の湾曲部１１Ｂ側に寄せてまとめなくてもよい。かかる構成では、例えば平坦部１１Ａで散らばって配置された複数の正極集電タブ２３を、図示していない正極集電板にそれぞれ接合し、正極集電板を正極端子５に接続する。そして、平坦部１１Ａで散らばって配置された複数の負極集電タブ３３を、図示していない負極集電板にそれぞれ接合し、負極集電板を負極端子６に接続する。図２３に示す構成の場合、複数の正極シート２２及び複数の負極シート３２を、軸芯１２もしくは捲回体１１ａの外周面に配置する際に、巻き始め端部を軸芯１２の一方面又は他方面のいずれか一方に配置するだけでよいので、電極群１１の製造が容易である。
【００７１】
上記の手段により、捲回体から複数の集電経路を確保することができ、出力性能に優れた非水電解液二次電池を得ることができる。また高強度で活物質層を圧延することのできる電極から捲回体を構成することによって、高いエネルギー密度をも併せ持つ非水電解液二次電池とすることができる。
【００７２】
本実施形態における非水電解液二次電池１によれば、複数の集電経路を確保でき、正極シート２２及び負極シート３２の捲回長さが長くなるのを防ぎ、それに応じて活物質層内を電荷が移動する距離、すなわち、電気を発電する場所から取り出す場所までの集電経路が長くなるのを防ぐことができる。したがって、電池の内部抵抗が高くなるのを防ぎ、出力性能の向上を図ることができる。また、正極シート２２及び負極シート３２は、長さ方向端部に集電タブ２３、３３を設けているので、高強度で活物質層を圧延することができる。したがって、高いエネルギー密度をも併せ持つ非水電解液二次電池１を得ることができる。
【００７３】
［第３実施形態］
図２４は、本実施形態における非水電解液二次電池の一例を示す図である。なお、上記した第２実施形態と同様の構成要素には同一の符号を付することでその詳細な説明を省略する。
【００７４】
本実施形態では、正極２１には図４に示した正極シート（第１電極シート）２２、負極３１には図１５に示した電極１０１の形状である１枚の負極シート（第２電極シート）を用いている。異なるタイプの２つのシートを用いて作成された捲回体１１ｂを図２４に示す。
【００７５】
１枚の負極シートは、活物質層を有する細長シート状の負極集電体を有し、負極集電体の幅方向端部に負極集電体が露出する無地部１０１ａが設けられた構造を有している。電極群は、複数の正極シート２２を長さ方向に並べて１枚の負極シートとの間にセパレータを介して捲回した構成を有している。
【００７６】
図４に示すタイプの電極シートを用いるよりも電極１０１の幅方向の一端に無地部１０１ａを設けた図１５の構造の方が容易に作成可能である。そのため、片方の電極にそれほど高い合剤密度が要求されない場合には、当該片方の電極を図１５に示す構造にすることによって作成が容易になる。
【００７７】
また、電極１０１の幅方向の一端に無地部を設けた構造の電極シートを用いることによって集電面積が増大するため、集電経路での抵抗を低減できる。そのため、活物質の導電性が低い場合には電極１０１の構造の電極シートを用いる方が好ましい場合がある。
【００７８】
従って図２４に示す通り、正極側により高い合剤密度が要求される場合には、図４に示した形状の正極シート２２を用いた方が好ましく、負極側にそれほど高い合剤密度が要求されない場合、幅方向に一定の幅の無地部（集電体露出部）を設けた電極１０１を負極シートに用いるのが好ましい。
【００７９】
上記構造の捲回体１１ｂを作成する場合には、セパレータ４１、４２、及び電極１０１の構造である負極シートをそれぞれ長さ方向に連続させて、これらの間に複数の正極シート２２を介在させる。図２４に示す捲回体１１ｂは、二枚のセパレータ４１、４２及び電極シート１０１の構造である負極シートを切らずに連続させて、これら二枚のセパレータ４１、４２の間に、複数の正極シート２２を長さ方向に所定間隔をおいて並べて介在させ捲回した構成を有する。複数の正極シート２２は、互いに対向する一方のセパレータ４１の外周面と他方のセパレータ４２の内周面との間に介在されている。
【００８０】
なお、本実施形態では正極側を図４の構造とし負極側を図１５の構造としたが、求められる合剤密度によっては正極側を図１５の構造とし負極側を図４の構造としても良い。
【００８１】
以上いずれの実施形態においても電極を捲回する際の繰り返し回数は、電極の単位長さあたりにどれだけの数の集電タブが必要とされるかによって適宜設計される。単位長さを短く取れば電流パスが増えるために高出力に対応しやすい電池となり、単位長さを長く取れば電池内の活物質占有体積を増大できるために高エネルギー密度の電池とすることができる。
【００８２】
なお、前述の電池構造は本発明を適用する電池構造の一例であって、これらの単電池を組電池とするときの配置等によってこれら以外の構造も含めて適宜選択されるべきものであり、本発明の要件を限定するものではない。
【００８３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００８４】
１  非水電解液二次電池
２  電池容器
５  正極端子
６  負極端子
７  ガス排出弁
８  注液口
１１  電極群
１１Ａ  平坦部
１１Ｂ  湾曲部
１１ａ  捲回体
１２  軸芯
２１  正極
２２  正極シート
２２ａ  正極集電体
２２ｂ  正極活物質層
２３  正極集電タブ
３１  負極
３２  負極シート
３２ａ  負極集電体
３２ｂ  負極活物質層
３３  負極集電タブ
４１、４２  セパレータ
【図１】
2014188501.tif 000003
【図２】
2014188501.tif 000004
【図３】
2014188501.tif 000005
【図４】
2014188501.tif 000006
【図５】
2014188501.tif 000007
【図６】
2014188501.tif 000008
【図７】
2014188501.tif 000009
【図８】
2014188501.tif 000010
【図９】
2014188501.tif 000011
【図１０】
2014188501.tif 000012
【図１１】
2014188501.tif 000013
【図１２】
2014188501.tif 000014
【図１３】
2014188501.tif 000015
【図１４】
2014188501.tif 000016
【図１５】
2014188501.tif 000017
【図１６】
2014188501.tif 000018
【図１７】
2014188501.tif 000019
【図１８】
2014188501.tif 000020
【図１９】
2014188501.tif 000021
【図２０】
2014188501.tif 000022
【図２１】
2014188501.tif 000023
【図２２】
2014188501.tif 000024
【図２３】
2014188501.tif 000025
【図２４】
2014188501.tif 000026
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
正極及び負極を間にセパレータを介して捲回した電極群を有する非水電解液二次電池であって、
前記正極は、正極活物質層を有する細長シート状の正極集電体と、該正極集電体の長さ方向端部で前記正極集電体の幅方向に突出する正極集電タブとを有する複数の正極シートを有し、
前記負極は、負極活物質層を有する細長シート状の負極集電体と、該負極集電体の長さ方向端部で前記負極集電体の幅方向に突出する負極集電タブとを有する複数の負極シートを有し、
前記電極群は、前記複数の正極シート及び前記複数の負極シートをそれぞれ長さ方向に並べて捲回した構成を有することを特徴とする非水電解液二次電池。
【請求項２】
前記電極群は、平坦部と、該平坦部の互いに対向する端部で半円弧状に湾曲する一対の湾曲部とを有する扁平形状を有しており、前記正極集電タブ及び前記負極集電タブが前記平坦部に配置されていることを特徴とする請求項１に記載の非水電解液二次電池。
【請求項３】
前記電極群は、
内側から外側に向かって前記セパレータ、前記負極シート、前記セパレータ、前記正極シートの順番で重ね合わせた状態で捲回されて、前記正極シートの最外周が前記セパレータを間に介して前記負極シートで覆われ、該負極シートの最外周が前記セパレータで覆われた構成を有する複数のグループを、長さ方向に接続して多重に捲回した構成を有することを特徴とする請求項２に記載の非水電解液二次電池。
【請求項４】
前記電極群は、
内側から外側に向かって前記セパレータ、前記負極シート、前記セパレータ、前記正極シートの順番で重ね合わせた状態で捲回されて、前記正極シートの最外周が前記セパレータを間に介して前記負極シートで覆われ、該負極シートの最外周が前記セパレータで覆われた構成を有する第１グループと、
内側から外側に向かって前記正極シート、前記セパレータ、前記負極シート、前記セパレータの順番で重ね合わせた状態で前記第１グループよりも外側に捲回されて、前記正極シートの最外周が前記セパレータを間に介して前記負極シートで覆われ、該負極シートの最外周が前記セパレータで覆われた構成を有する少なくとも１以上の第２グループとを有し、
前記第１グループと、前記少なくとも１以上の第２グループとを長さ方向に接続して多重に捲回した構成を有することを特徴とする請求項２に記載の非水電解液二次電池。
【請求項５】
前記電極群は、
互いに対向する二枚のセパレータを有しており、前記複数の正極シートがそれぞれ長さ方向に所定間隔をおいて並べられて互いに対向する一方のセパレータの外周面と他方のセパレータの内周面との間に介在され、前記複数の負極シートがそれぞれ長さ方向に所定間隔をおいて並べられて互いに対向する他方のセパレータの外周面と一方のセパレータの内周面との間に介在されていることを特徴とする請求項２に記載の非水電解液二次電池。
【請求項６】
前記電極群は、前記各正極集電タブと前記各負極集電タブとがそれぞれ前記電極群の捲回軸方向一方側で互いに離間する位置に配置されていることを特徴とする請求項３に記載の非水電解液二次電池。
【請求項７】
前記電極群は、前記各正極集電タブと前記各負極集電タブとがそれぞれ前記平坦部の厚さ方向一方側と他方側に離間して配置されていることを特徴とする請求項６に記載の非水電解液二次電池。
【請求項８】
前記電極群は、前記各正極集電タブと前記各負極集電タブとがそれぞれ一方の湾曲部側と他方の湾曲部側に離間して配置されていることを特徴とする請求項７に記載の非水電解液二次電池。
【請求項９】
前記電極群は、前記各正極集電タブと前記各負極集電タブとがそれぞれ前記平坦部の厚さ方向一方側で一方の湾曲部側と他方の湾曲部側に離間して配置されていることを特徴とする請求項６に記載の非水電解液二次電池。
【請求項１０】
前記電極群は、前記各正極集電タブが前記電極群の捲回軸方向一方側に配置され、前記各負極集電タブが前記電極群の捲回軸方向他方側に配置されていることを特徴とする請求項３に記載の非水電解液二次電池。
【請求項１１】
前記電極群は、前記各正極集電タブ及び前記各負極集電タブがそれぞれ前記平坦部の厚さ方向一方側で前記一対の湾曲部の一方の湾曲部側に配置されていることを特徴とする請求項１０に記載の非水電解液二次電池。
【請求項１２】
前記電極群は、前記各正極集電タブが前記平坦部の厚さ方向一方側で一方の湾曲部側に配置され、前記各負極集電タブが前記平坦部の厚さ方向他方側で一方の湾曲部側に配置されていることを特徴とする請求項１０に記載の非水電解液二次電池。
【請求項１３】
前記正極集電タブは、前記正極シートの長さ方向端部で露出する前記正極集電体に接合されて設けられていることを特徴とする請求項１に記載の非水電解液二次電池。
【請求項１４】
前記正極集電タブは、前記正極集電体に一体に設けられていることを特徴とする請求項１に記載の非水電解液二次電池。
【請求項１５】
正極及び負極を間にセパレータを介して捲回した電極群を有する非水電解液二次電池であって、
前記正極と前記負極のいずれか一方は、活物質層を有する細長シート状の電極集電体と、該電極集電体の長さ方向端部で前記電極集電体の幅方向に突出する電極集電タブとを有する複数の第１電極シートを有し、
前記正極と前記負極のいずれか他方は、活物質層を有する細長シート状の電極集電体を有し、該電極集電体の幅方向端部に電極集電体が露出する無地部が設けられた構造を有する１枚の第２電極シートを有し、
前記電極群は、前記複数の第１電極シートを長さ方向に並べて前記１枚の第２電極シートとの間に前記セパレータを介して捲回した構成を有することを特徴とする非水電解液二次電池。
【国際調査報告】
2014188501.tif 000027
2014188501.tif 000028
2014188501.tif 000029
2014188501.tif 000030